(57)【特許請求の範囲】
【請求項１】
入力装置、出力装置、測位装置および制御装置を備えている情報端末であって、
前記制御装置が、
前記測位装置により測位された前記情報端末の現在地点および前記入力装置を通じた指定地点のうち少なくとも一方の周囲に存在する複数の施設を認識するように構成されている第１演算処理要素と、
前記第１演算処理要素により認識された前記複数の施設のうち前記情報端末の現在地点および前記指定地点のうち少なくとも一方に応じて定まる指定地域に含まれている第１施設の所在を表わす第１アイコンと、当該指定地域から外れている第２施設の所在を表わす第２アイコンとを視覚的に識別可能な形態で、あらかじめ定められた縮尺のマップに重畳させて前記出力装置に表示させるとともに、前記出力装置に表示されている複数のアイコンのうち前記入力装置を通じて前記第１アイコンが選択されたこと、および前記情報端末の現在位置が前記第１施設の位置に応じて定まる第１指定地域に含まれることを要件として、入力インターフェースを構成する指定画像を前記第１アイコンに関連付けて前記出力装置に表示させるように構成されている第２演算処理要素と、を備え、
前記第１演算処理要素が、前記指定画像により構成される入力インターフェースを通じた入力に応じて前記第１施設に関する指定演算処理を実行するように構成されていることを特徴とする情報端末。
【請求項２】
請求項１記載の情報端末において、
前記第１演算処理要素が、前記指定画像により構成される入力インターフェースを通じた入力があった際の前記測位装置により測定された前記情報端末の位置と前記第１施設の位置との相関関係に応じて内容が異なる指定演算処理を実行するように構成されていることを特徴とする情報端末。
【請求項３】
請求項１または２記載の情報端末において、
前記第１演算処理要素が、前記情報端末の現在地点または前記指定地点としての出発地点と、前記指定地点としての目的地点とを結ぶルートを認識するように構成され、
前記第２演算処理要素が、前記第１演算処理要素により認識された前記ルートに沿って帯状に延在する地域のうち少なくとも一部としての前記指定地域に含まれている第１施設の所在を表わす第１アイコンと、当該指定地域から外れている第２施設の所在を表わす第２アイコンとを視覚的に識別可能な形態で、前記ルートとともにあらかじめ定められた縮尺のマップに重畳させて前記出力装置に表示させるように構成されていることを特徴とする情報端末。
【請求項４】
請求項１ないし３のいずれか１つに記載の情報端末において、
前記第２演算処理要素が、前記第１アイコンのサイズを前記第２アイコンのサイズよりも大きくすることにより前記第１アイコンおよび前記第２アイコンを視覚的に識別可能な形態で前記出力装置に表示させるように構成されていることを特徴とする情報端末。
【請求項５】
請求項１ないし４のいずれか１つに記載の情報端末において、
前記第２演算処理要素が、単一の前記第１アイコンを前記出力装置に表示させるように構成されていることを特徴とする情報端末。
【請求項６】
請求項１ないし５のいずれか１つに記載の情報端末と、前記情報端末との相互通信機能を有するサポートサーバとにより構成されている情報処理システムであって、
前記サポートサーバが、前記測位装置により測位された前記情報端末の現在地点および前記入力装置を通じた指定地点のうち少なくとも一方を表わす地点情報を前記情報端末から受信し、
前記情報端末の現在地点および前記指定地点のうち少なくとも一方の周囲に存在する複数の施設を検索し、当該複数の施設の所在を表わす施設情報を前記情報端末に対して送信するように構成されていることを特徴とする情報処理システム。
【請求項７】
請求項３記載の情報端末と、前記情報端末との相互通信機能を有するサポートサーバとにより構成されている情報処理システムであって、
前記サポートサーバが、前記情報端末の現在地点または出発地点と、目的地点とを表わす地点情報を前記情報端末から受信し、
前記地点情報により表わされる前記情報端末の現在地点または出発地点と、目的地点とを結ぶサポートルートを探索し、当該サポートルートの少なくとも一部を表わすルート情報を前記情報端末に対して送信するように構成され、
前記情報端末が、前記ルート情報に基づいて前記サポートルートを再現した結果をルートとしてあらかじめ定められた縮尺のマップに重畳させて出力装置に表示させるように構成されていることを特徴とする情報処理システム。
【発明の詳細な説明】
【技術分野】
【０００１】
本発明は、入力装置、出力装置、通信装置、測位装置および制御装置を備えている情報端末および当該情報端末との相互通信機能を有するサポートサーバにより構成される情報処理システム等に関する。
【背景技術】
【０００２】
自車両周辺に存在するレストランまたは店舗等の施設の所在を表わすアイコンをマップに重畳させて出力装置に表示させる際、表示アイコンの過多によりその視認性が低下する蓋然性が高い。このような事態を回避するため、マップの縮尺を自動調整することにより、当該マップに重畳表示されるアイコン数を調節する技術が提案されている（特許文献１参照）。
【先行技術文献】
【特許文献】
【０００３】
【特許文献１】特開２０１２−１６３７３８号公報
【発明の概要】
【発明が解決しようとする課題】
【０００４】
しかし、出力装置に表示されているマップの縮尺が自動調整された場合、当該マップにおける道路および施設等の配置態様などの情報の視認性が低下する蓋然性が高い。
【０００５】
そこで、本発明は、マップにおける情報の視認性を維持しながら、当該マップに重畳表示されるアイコンの多少にかかわらず、ユーザにとって有用性の高い施設の所在を表わすアイコンの視認性の向上を図りうる情報端末等を提供することを目的とする。
【課題を解決するための手段】
【０００６】
本発明の情報端末は、入力装置、出力装置、測位装置および制御装置を備えている情報端末であって、前記制御装置が、前記測位装置により測位された前記情報端末の現在地点および前記入力装置を通じた指定地点のうち少なくとも一方の周囲に存在する複数の施設を認識するように構成されている第１演算処理要素と、前記第１演算処理要素により認識された前記複数の施設のうち前記情報端末の現在地点および前記指定地点のうち少なくとも一方に応じて定まる指定地域に含まれている第１施設の所在を表わす第１アイコンと、当該指定地域から外れている第２施設の所在を表わす第２アイコンと、を視覚的に識別可能な形態で、あらかじめ定められた縮尺のマップに重畳させて前記出力装置に表示させるとともに、前記出力装置に表示されている複数のアイコンのうち前記入力装置を通じて前記第１アイコンが選択されたこと、および前記情報端末の現在位置が前記第１施設の位置に応じて定まる第１指定地域に含まれることを要件として、入力インターフェースを構成する指定画像を前記第１アイコンに関連付けて前記出力装置に表示させるように構成されている第２演算処理要素と、を備え、前記第１演算処理要素が、前記指定画像により構成される入力インターフェースを通じた入力に応じて前記第１施設に関する指定演算処理を実行するように構成されていることを特徴とする。
【０００７】
当該構成の情報端末によれば、出力装置において第１アイコンおよび第２アイコンが相互に識別可能な形態でマップに重畳表示される。「第１アイコン」は、情報端末の現在地点および指定地点のうち少なくとも一方に鑑みて、情報端末のユーザにとって有用性が高い施設（第１施設）を表わしている蓋然性が高い。マップの縮尺はあらかじめ定められており、そこに重畳表示される複数のアイコン（一または複数の第１アイコンおよび一または複数の第２アイコン）の多少とは無関係に制御される。「あらかじめ定められた縮尺」は、情報端末のアプリにより準備されているデフォルトとしての縮尺のほか、入力装置を通じてユーザにより設定された縮尺をも包含する概念である。ユーザにより最後に設定された縮尺が「あらかじめ定められた縮尺」として採用されることにより、ユーザにマップの縮尺を元に戻すための入力操作を強要せずに済む。第１アイコンおよび第２アイコンが重畳表示されているマップの縮尺は、その後、入力装置を通じてユーザの意思に応じて変更されてもよい。
【０００８】
したがって、マップにおける情報の視認性を維持しながら、当該マップに重畳表示されるアイコンの多少にかかわらず、現在位置および指定地点のうち少なくとも一方に鑑みてユーザにとって有用性の高い施設の所在を表わすアイコンの視認性の向上が図られうる。第１アイコンおよび第２アイコンの識別容易のためにマップの縮尺変更のための入力操作の必要性はない（またはほとんどない）。たとえば、あらかじめ定められた縮尺のマップに重畳表示されるアイコンの密度が高い場合でも、マップの縮尺を「あらかじめ定められた縮尺」から変更することなく、ユーザにとって当該アイコンの中から第１アイコンを選択的に視認することは容易になる。
【０００９】
なお、本発明の構成要素が情報を「認識する」とは、当該情報を受信またはセンサを通じて検知すること、記憶装置またはデータベースから当該情報を読み出すまたは検索すること、受信、検知または検索等された基礎情報に対して所定の演算処理を実行することにより目的とする当該情報を導出することなど、当該情報を取得するためのあらゆる動作または演算処理を包含する概念である。
【００１１】
当該構成の情報端末によれば、入力装置を通じて第１アイコンが選択されたことを要件として、出力装置において当該第１アイコンに関連付けられて指定画像が表示される。「関連付け」とは、画像同士の隣接、連結もしくは重複、または一方の画像による他方の画像の包囲など、一定の相対的な配置関係を意味する。そして、指定画像により構成される入力インターフェースを通じたユーザによる情報端末への入力により第１施設に関する指定演算処理が実行される。したがって、第１施設に関する指定演算処理を情報端末に実行させるための入力の利便性向上という観点から、当該第１施設の所在を表わす第１アイコンの視認性の適当な向上が図られる。
【００１３】
当該構成の情報端末によれば、ユーザが情報端末とともに第１指定地域にいることを要件として、出力装置において第１アイコンに関連付けられて第１指定画像が表示される。したがって、第１施設に関する指定演算処理を情報端末に実行させるための入力の利便性向上という観点から、当該第１施設の所在を表わす第１アイコンの視認性の適当な向上が図られる。
【００１４】
前記第１演算処理要素が、前記指定画像により構成される入力インターフェースを通じた入力があった際の前記測位装置により測定された前記情報端末の位置と前記第１施設の位置との相関関係に応じて内容が異なる指定演算処理を実行するように構成されていることが好ましい。
【００１５】
当該構成の情報端末によれば、第１施設に関する指定演算処理を情報端末に実行させるための入力の利便性向上という観点から、当該第１施設の所在を表わす第１アイコンの視認性の適当な向上が図られる。
【００２０】
前記第１演算処理要素が、前記情報端末の現在地点または前記指定地点としての出発地点と、前記指定地点としての目的地点とを結ぶルートを認識するように構成され、前記第２演算処理要素が、前記第１演算処理要素により認識された前記ルートに沿って帯状に延在する地域のうち少なくとも一部としての前記指定地域に含まれている第１施設の所在を表わす第１アイコンと、当該指定地域から外れている第２施設の所在を表わす第２アイコンとを視覚的に識別可能な形態で、前記ルートとともにあらかじめ定められた縮尺のマップに重畳させて前記出力装置に表示させるように構成されていることが好ましい。
【００２１】
当該構成の情報端末によれば、「第１アイコン」は、情報端末の現在地点および目的地点、ひいては当該両地点を結ぶルートに鑑みて、情報端末のユーザにとって有用性が高い施設（第１施設）を表わしている蓋然性が高い。マップの縮尺はあらかじめ定められており、そこに重畳表示される複数のアイコンの多少とは無関係に制御される。したがって、マップにおける情報の視認性を維持しながら、当該マップに重畳表示されるアイコンの多少にかかわらず、誘導指標としてのルートに鑑みてユーザにとって有用性の高い施設の所在を表わすアイコンの視認性の向上が図られうる。
【００２２】
前記第２演算処理要素が、前記第１アイコンのサイズを前記第２アイコンのサイズよりも大きくすることにより前記第１アイコンおよび前記第２アイコンを視覚的に識別可能な形態で前記出力装置に表示させるように構成されていることが好ましい。
【００２３】
前記第２演算処理要素が、単一の前記第１アイコンを前記出力装置に表示させるように構成されていることが好ましい。
【００２４】
当該構成の情報端末によれば、出力装置に表示されているアイコンの密度が高い場合でも、当該アイコンの中から第１アイコンの識別が容易化される。
【００２５】
本発明の第１態様の情報処理システムは、前記情報端末と、前記情報端末との相互通信機能を有するサポートサーバとにより構成されている情報処理システムであって、前記サポートサーバが、前記測位装置により測位された前記情報端末の現在地点および前記入力装置を通じた指定地点のうち少なくとも一方を表わす地点情報を前記情報端末から受信し、前記情報端末の現在地点および前記指定地点のうち少なくとも一方の周囲に存在する複数の施設を検索し、当該複数の施設の所在を表わす施設情報を前記情報端末に対して送信するように構成されていることを特徴とする。
【００２６】
本発明の第１態様の情報処理システムによれば、マップにおける情報の視認性を維持しながら、当該マップに重畳表示されるアイコンの多少にかかわらず、現在位置および指定地点のうち少なくとも一方に鑑みてユーザにとって有用性の高い施設の所在を表わすアイコンの視認性の向上が図られうる。
【００２７】
本発明の第２態様の情報処理システムは、情報端末と、前記情報端末との相互通信機能を有するサポートサーバとにより構成されている情報処理システムであって、前記サポートサーバが、前記情報端末の現在地点または出発地点と、目的地点とを表わす地点情報を前記情報端末から受信し、前記地点情報により表わされる前記情報端末の現在地点または出発地点と、目的地点とを結ぶサポートルートを探索し、当該サポートルートの少なくとも一部を表わすルート情報を前記情報端末に対して送信するように構成され、前記情報端末が、前記ルート情報に基づいて前記サポートルートを再現した結果をルートとしてあらかじめ定められた縮尺のマップに重畳させて出力装置に表示させるように構成されていることを特徴とする。
【００２８】
本発明の第２態様の情報処理システムによれば、マップにおける情報の視認性を維持しながら、当該マップに重畳表示されるアイコンの多少にかかわらず、誘導指標としてのルートに鑑みてユーザにとって有用性の高い施設の所在を表わすアイコンの視認性の向上が図られうる。
【図面の簡単な説明】
【００２９】
【図１】本発明の一実施形態としての情報処理システムの構成説明図。
【図２】本発明の第１実施形態としての情報処理システムの機能説明図。
【図３】第１実施形態における出力装置の表示形態に関する説明図。
【図４】本発明の第２実施形態としての情報処理システムの機能説明図。
【図５】第２実施形態における出力装置の表示形態に関する説明図。
【図６】指定地域の例示図。
【図７】第１および第２指定地域の例示図。
【発明を実施するための形態】
【００３０】
（構成）
図１に示されている本発明の一実施形態としての情報処理システムは、ネットワークを介して相互通信可能な複数の情報端末１およびサポートサーバ２により構成されている。サポートサーバ２はネットワークを介して複数の施設またはＰＯＩ（Ｐｏｉｎｔ  ｏｆ  Ｉｎｔｅｒｅｓｔ）または当該施設に存在する機器と相互通信機能を有している。
【００３１】
情報端末１は、タブレット型端末またはスマホなど、ユーザによる携帯が可能なようにサイズ、形状および重量が設計されているあらゆる情報端末により構成されている。情報端末１は、入力装置１１と、出力装置１２と、通信装置１３と、測位装置１４と、制御装置１５と、を備えている。
【００３２】
入力装置１１は、タッチパネル１０を構成する位置入力装置により構成されている。入力装置１１が付加的に音声入力装置（マイク）により構成されていてもよい。入力装置１１が撮像装置などの非接触方式でユーザの入力操作（発話内容またはジェスチャ）の態様を検知する検知装置により構成されていてもよい。出力装置１２は、タッチパネル１０を構成する液晶パネルまたは有機ＥＬのような表示装置により構成されている。出力装置１２が付加的に音声出力装置（スピーカ）により構成されていてもよい。情報端末１は、通信装置１３により、サポートサーバ２および各施設と各種情報を送受信する機能を有する。測位装置１４はＧＰＳおよび必要に応じてジャイロセンサ等により構成され、情報端末１はこれによりその現在地点（経緯度）を測位する機能を有する。
【００３３】
制御装置１５は、コンピュータ（演算処理装置および記憶装置を備えている）により構成されている。制御装置１５は、後述する演算処理を実行するように構成されている第１演算処理要素１５１および第２演算処理要素１５２を備えている。
【００３４】
サポートサーバ２は、サーバ通信装置２０に加えて、後述する演算処理を実行するように構成されている第１サーバ演算処理要素２１および第２サーバ演算処理要素２２を備えている。サポートサーバ２は、サーバ通信装置２０により、情報端末１および各施設（正確にはこれを構成するまたはそこに存在する通信機能を有するコンピュータ）と各種情報を送受信する機能を有する。
【００３５】
本発明の構成要素が情報演算処理を実行するように構成されているとは、当該制御装置の構成要素である演算処理装置が記憶装置（メモリ）からアプリおよび必要な情報を読み取り、当該アプリにしたがって当該情報演算処理を実行するように設計またはプログラムされていることを意味する。
【００３６】
サポートサーバ２は相互通信可能な複数のサーバにより構成されていてもよい。サポートサーバ２の一部または全部が、車両に搭載されている機器（電子制御ユニットまたはコンピュータなど）により構成されてもよい。
【００３７】
（機能（第１実施形態））
本発明の第１実施形態としての情報処理システムの機能について説明する。
【００３８】
入力装置１１を通じた所定態様の入力に応じて、情報端末１にインストールされているナビゲーションアプリ等のアプリ（ソフトウェア）が起動される（図２／ＳＴＥＰ１０２）。これに応じて、第１演算処理要素１５１により、情報端末１の現在地点Ｐ１を表わす「地点情報」がサポートサーバ２に対して送信される（図２／矢印Ｘ１１）。
【００３９】
アプリ起動後に、タッチパネル１０を通じた操作など、一または複数のトリガアクションに応じて、情報端末１からサポートサーバ２に対してその時点における測位地点Ｐ１を表わす地点情報が送信されてもよい。
【００４０】
第１サーバ演算処理要素２１により「地点情報」に応じて施設がサーバ記憶装置から検索される（図２／ＳＴＥＰ２０２）。たとえば、施設の母集団の中から、地点情報により表わされる情報端末１の現在地点Ｐ１を基準とする一定範囲に存在する施設が検索される。サーバ記憶装置には、各施設の地点を表わす一または複数の経緯度が格納されている。
【００４１】
なお、検索対象となる施設のカテゴリを表わすカテゴリ情報が情報端末１からサポートサーバ２に対して送信され、第１サーバ演算処理要素２１により当該カテゴリに属する施設が検索されてもよい。
【００４２】
第１サーバ演算処理要素２１により、検索された複数の施設の所在を表わす「施設情報」が情報端末１に対して送信される（図２／矢印Ｘ１２）。施設情報には、各施設の地点を表わす一または複数の経緯度が含まれている。
【００４３】
第１演算処理要素１５１により施設情報が受信され、第２演算処理要素１５２により、当該施設情報により表わされる複数の施設のうち、情報端末１の現在地点Ｐ１に応じて定まる指定地域Ｓ０に含まれている「第１施設」と、当該指定地域Ｓ０から外れている「第２施設」とが判別される（図２／ＳＴＥＰ１０４）。指定地域Ｓ０としては、たとえば情報端末１の現在地点Ｐ１を中心とする、数十〜数百ｍ程度の半径を有する図６（ａ）に示されているような円領域または同程度の辺長を有する図６（ｂ）に示されているような矩形領域が採用される。
【００４４】
なお、第１施設および第２施設の判別がサポートサーバ２（第１サーバ演算処理要素２１）により実行され、当該判別結果がサポートサーバ２から情報端末１に対して送信されてもよい。
【００４５】
第２演算処理要素１５２により、出力装置１２においてあらかじめ定められた縮尺のマップが表示され、第１施設および第２施設のそれぞれの所在を表わす複数のアイコンが当該マップに重畳表示される（図２／ＳＴＥＰ１０６）。これにより、たとえば図３（ａ）に示されているように、出力装置１２においてマップが表示され、さらに、情報端末１の現在地点Ｐ１、第１アイコンＭ１および第２アイコンＭ２が当該マップに重畳表示される。
【００４６】
あらかじめ定められた縮尺としては、たとえば当該アプリのデフォルトである縮尺が採用されるが、アプリの起動直後にユーザによる縮尺変更があった際には、当該変更後の最新の縮尺が採用されてもよい。マップは情報端末１を構成する記憶装置に格納されている。
【００４７】
この際、第１施設の所在を表わす「第１アイコン」および第２施設の所在を表わす「第２アイコン」が、視覚的に識別可能な形態で出力装置１２に表示される。色、形状（サイズを含む。）もしくは模様またはこれらの組み合わせにより表わされる静的な意匠のほか、時系列的に色等が変化する動的な意匠が差別化されることにより、第１アイコンおよび第２アイコンが視覚的に識別さうる。図３（ａ）の例では、単一の第１アイコンＭ１および複数の第２アイコンＭ２はともに略ティアドロップ形状であるものの、第１アイコンＭ１のサイズが第２アイコンＭ２のサイズよりも大きく表示されることにより、第１アイコンＭ１および第２アイコンＭ２が視覚的に識別可能とされている。
【００４８】
第２演算処理要素１５２により、第１アイコンＭ１が選択されたか否かが判定される（図２／ＳＴＥＰ１０８）。たとえばタッチパネル１０が第１アイコンＭ１の表示位置においてタップされることにより、当該第１アイコンＭ１が選択される。第１アイコンＭ１が選択されていない場合（図２／ＳＴＥＰ１０８‥ＮＯ）、アプリの動作終了の有無が判定され、アプリの動作が継続する場合には第１アイコンＭ１が選択されたか否かが引き続き判定される（図２／ＳＴＥＰ１０８）。第１アイコンＭ１が選択された場合（図２／ＳＴＥＰ１０８‥ＹＥＳ）、第２演算処理要素１５２により、当該第１アイコンＭ１により表わされる第１施設を表わす「第１施設情報」がサポートサーバ２に対して送信される（図２／矢印Ｘ１３）。
【００４９】
第１サーバ演算処理要素２１により、第１施設情報により表わされる施設が特定され（図２／ＳＴＥＰ２０４）、「出力情報要求」が当該施設に対して送信される（図２／矢印Ｘ１４）。該当施設はこれに応じて出力情報を指定し（図２／ＳＴＥＰ３０２）、当該指定出力情報をサポートサーバ２に対して送信する（図２／矢印Ｘ１５）。第１サーバ演算処理要素２１により、この指定出力情報が情報端末１に対して送信される（図２／矢印Ｘ１６）。
【００５０】
第２演算処理要素１５２により、情報端末１の現在地点Ｐ１が第１施設の位置に応じて定まる「第１指定地域Ｓ１」に含まれているか否かが判定される（図２／ＳＴＥＰ１１０）。第１指定地域Ｓ１としては、たとえば第１施設の敷地またはそれを基準として広がる近傍地域が採用される。情報端末１の現在地点Ｐ１が第１指定地域Ｓ１から外れている場合（図２／ＳＴＥＰ１１０‥ＮＯ）、アプリの動作終了の有無が判定され、アプリの動作が継続する場合には情報端末１の現在地点Ｐ１が第１指定地域Ｓ１に含まれているか否かが引き続き判定される（図２／ＳＴＥＰ１１０）。
【００５１】
情報端末１の現在地点Ｐ１が第１指定地域Ｓ１に含まれていると判定された場合（図２／ＳＴＥＰ１１０‥ＹＥＳ）、指定出力情報に応じた「指定画像Ｗ」が第１アイコンＭ１に関連付けられて出力装置１２に表示される（図２／ＳＴＥＰ１１１）。指定画像Ｗは、情報端末１に第１施設に関連する「指定演算処理」を実行させるための入力インターフェースを構成する画像である。第１施設におけるサービスまたはイベントの内容を表わすメッセージが指定画像に含まれていてもよい。
【００５２】
これにより、たとえば図３（ｂ）に示されているように、第１アイコンＭ１から吹き出している指定画像Ｗが出力装置１２に表示される。指定画像Ｗには、第１施設（○○駐車場）の利用有無または要否を問い合わせるメッセージと、これに応じた肯定（はい）および否定（いいえ）を選択するための２つのボタンが含まれている。当該２つのボタンが入力インターフェースを構成する。
【００５３】
なお、第１施設および第２施設の判別基準となった指定地域Ｓ０と、第１指定地域Ｓ１とが少なくとも部分的に重複するまたは近接している場合、情報端末１の現在地点Ｐ１が第１指定地域Ｓ１に含まれているか否かの判定（図２／ＳＴＥＰ１１０参照）が省略され、第１アイコンの選択（図２／ＳＴＥＰ１０８参照）に応じて、指定画像Ｗが無条件に出力装置１２に表示されてもよい。
【００５４】
第１演算処理要素１５１により、指定画像Ｗにより構成される入力インターフェースを通じた入力の有無が判定される（図２／ＳＴＥＰ１１２）。図３（ｂ）の例では、「はい」ボタンまたは「いいえ」ボタンにおけるタッチパネル１０のタップが当該入力に該当する。当該入力があったと判定された場合（図２／ＳＴＥＰ１１２‥ＹＥＳ）、第１演算処理要素１５１により当該入力の有無または内容に応じた指定演算処理が実行される（図２／ＳＴＥＰ１１４）。指定演算処理は、第１施設との相互通信を伴う演算処理であってもよく、当該相互通信を伴わない演算処理であってもよい。指定演算処理は、先に受信済みの指定出力情報に基づく演算処理であってもよい。指定演算処理の内容は、当該入力があった時点における情報端末１の測位地点Ｐ１の別に応じて差別化されてもよい。
【００５５】
たとえば、図３（ｂ）の例で、「はい」が選択された場合、第１施設との直接的なまたはサポートサーバ２を通じた間接的な相互通信を経て、情報端末１の電子マネーによる当該施設（駐車場）の利用に伴う対価（駐車料金）の支払のための指定演算処理が実行される。一方、「いいえ」が選択された場合、情報端末１が第１指定地域に存在した履歴等が情報端末１からサポートサーバ２に対して送信され、当該履歴等がサーバ記憶装置に蓄積的に保存される。選択されたボタンは、非選択ボタンとは色彩または形状が少なくとも一時的に差別化されるように表示されてもよい。
【００５６】
入力インターフェースを構成する指定画像Ｗ（図３（ｂ）参照）の内容は、該当する指定演算処理の内容に応じてさまざまに変更されてもよい。たとえば、指定演算処理がメニューの選択を含む場合、複数のメニューが含まれるプルダウンメニューが指定画像に含まれていてもよい。該当指定演算処理が電子マネーのチャージおよびその支払を含む場合、金額を入力するための複数の数字ボタン「０」〜「９」に加えて、決済確認のための「はい」ボタンおよび「いいえ」ボタンが指定画像に含まれていてもよい。
【００５７】
一方、当該入力がなかったと判定された場合（図２／ＳＴＥＰ１１２‥ＮＯ）、第１演算処理要素１５１により出力装置１２に指定画像が表示されてから所定時間が経過したか否かが判定される（図２／ＳＴＥＰ１１６）。所定時間が経過していないと判定された場合（図２／ＳＴＥＰ１１６‥ＮＯ）、指定画像により構成される入力インターフェースを通じた入力の有無が継続的に判定される（図２／ＳＴＥＰ１１２）。一方、所定時間が経過したと判定された場合（図２／ＳＴＥＰ１１６‥ＹＥＳ）、指定画像が出力装置１２から消去されまたは非表示とされ（図２／ＳＴＥＰ１１８）、アプリの動作終了の有無が判定され、アプリの動作が継続する場合には地点情報の送信（図２／矢印Ｘ１１）以降の処理が繰り返される。
【００５８】
（作用効果（第１実施形態））
本発明の第１実施形態としての情報処理システムによれば、出力装置１２において第１アイコンＭ１および第２アイコンＭ２が相互に識別可能な形態でマップに重畳表示される（図３（ａ）参照）。入力装置１１を通じて第１アイコンＭ１が選択されたことを要件として、出力装置１２において当該第１アイコンＭ１に関連付けられて指定画像Ｗが表示される（図３（ｂ）参照）。そして、指定画像Ｗにより構成される入力インターフェースを通じたユーザによる情報端末１への入力により第１施設に関する指定演算処理が実行される（図２／ＳＴＥＰ１１４参照）。
【００５９】
第１アイコンＭ１は、情報端末１の現在地点Ｐ１に鑑みて、情報端末１のユーザにとって有用性が高い施設（第１施設）を表わしている蓋然性が高い。マップの縮尺はあらかじめ定められており、そこに重畳表示される複数のアイコンの多少とは無関係に制御される。ユーザにより最後に設定された縮尺が「あらかじめ定められた縮尺」として採用されることにより、ユーザにマップの縮尺を元に戻すための入力操作を強要せずに済む。
【００６０】
したがって、マップにおける情報の視認性を維持しながら、当該マップに重畳表示されるアイコンの多少にかかわらず、現在位置Ｐ１に鑑みてユーザにとって有用性の高い施設の所在を表わす第１アイコンＭ１の視認性の向上、さらには第１施設に関する指定演算処理を情報端末１に実行させるための入力の利便性の向上が図られうる。第１アイコンＭ１および第２アイコンＭ２の識別容易のためにマップの縮尺変更のための入力操作の必要性はない（またはほとんどない）。
【００６１】
（機能（第２実施形態））
本発明の第２実施形態としての情報処理システムの機能について説明する。
【００６２】
入力装置１１を通じた所定態様の入力に応じて、情報端末１にインストールされているナビゲーションアプリ等のアプリ（ソフトウェア）が起動される（図４／ＳＴＥＰ１２０）。これに応じて、マップが出力装置１２に表示され、かつ、情報端末１の現在地点Ｐ１が当該マップに重畳表示される（図５（ａ）参照）。
【００６３】
第１演算処理要素１５１により、目的地点の設定有無が判定される（図４／ＳＴＥＰ１２２）。たとえば、タッチパネル１０においてマップ上の任意箇所がタップされた際、図５（ａ）に示されているように当該タップ箇所に相当する地点（目的地点候補）を目的地点として設定することを確認する旨のメッセージ（目的地点に設定しますか？）のほか、意思表示用のボタン「はい」および「いいえ」を含む画像Ｗ０が出力装置１２に表示される。そして、「はい」がタッチパネル１０の該当箇所のタップまたは音声入力によって選択された場合、当該地点が目的地点Ｐ２として設定される。第２実施形態においても、第１実施形態と同様に選択されたボタンは、非選択ボタンとは色彩または形状が少なくとも一時的に差別化されるように表示されてもよい。
【００６４】
なお、ボタン操作を伴う意思確認が省略され、タップされた箇所に相当する地点がそのまま目的地点Ｐ２として設定されてもよい。情報端末１に対する入力音声から認識された地名または施設名称などに基づいて目的地点Ｐ２またはその候補が設定されてもよい。
【００６５】
目的地点が未設定であると判定された場合（図４／ＳＴＥＰ１２２‥ＮＯ）、アプリの動作終了の有無が判定され、アプリの動作が継続する場合には目的地点の設定有無が引き続き判定される（図４／ＳＴＥＰ１２２）。目的地点が設定されたと判定された場合（図２／ＳＴＥＰ１２２‥ＹＥＳ）、第１演算処理要素１５１により、目的地点Ｐ２およびその設定時における情報端末１の現在地点Ｐ１を表わす「地点情報」がサポートサーバ２に対して送信される（図４／矢印Ｘ２０）。
【００６６】
第１サーバ演算処理要素２１により「地点情報」に応じて施設がサーバ記憶装置から検索される（図４／ＳＴＥＰ２２２）。たとえば、施設の母集団の中から、地点情報により表わされる情報端末１の現在地点Ｐ１および目的地点Ｐ２のうち少なくとも一方を基準とする一定範囲に存在する施設が検索される。サーバ記憶装置には、各施設の地点を表わす一または複数の経緯度が格納されている。
【００６７】
なお、検索対象となる施設のカテゴリを表わすカテゴリ情報が情報端末１からサポートサーバ２に対して送信され、第１サーバ演算処理要素２１により当該カテゴリに属する施設が検索されてもよい。
【００６８】
第２サーバ演算処理要素２２により、地点情報により表わされる現在地点Ｐ１と目的地点Ｐ２とを結ぶサーバルートが探索される（図４／ＳＴＥＰ２２４）。サーバルート探索に際して、サーバ記憶装置に格納されているサーバマップのほか、必要に応じて外部のサーバから取得された最新の道路交通情報が用いられる。
【００６９】
第１サーバ演算処理要素２１により、検索された複数の施設の所在を表わす「施設情報」が情報端末１に対して送信され、かつ、第２サーバ演算処理要素２２により、サーバルートの少なくとも一部を表わす「ルート情報」が情報端末１に対して送信される（図４／矢印Ｘ２１）。施設情報には、各施設の地点を表わす一または複数の経緯度が含まれている。ルート情報には、サーバルートの少なくとも一部を構成する複数のリンクまたは道路要素を識別するためのリンク識別子が含まれている。ルート情報には、サーバルート上にある複数の地点の経緯度が含まれていてもよい。
【００７０】
第１演算処理要素１５１によりルート情報が受信され、第２演算処理要素１５２により、当該ルート情報に基づき、情報端末１の現在地点Ｐ１および目的地点Ｐ２を結ぶルートが探索される（図４／ＳＴＥＰ１２３）。たとえば、記憶装置に記憶されているマップが用いられ、ルート情報に含まれているリンク識別子により識別される複数のリンクを含むルートが探索される。このルートはサーバルートと完全同一でなくてもよい。マップにおいて道路を構成する各リンクが、サーバルートと共通のまたは一定の相関関係を有するリンク識別子により識別されうる。
【００７１】
第１演算処理要素１５１により施設情報が受信され、第２演算処理要素１５２により、当該施設情報により表わされる複数の施設のうち、現在地点Ｐ１および目的地点Ｐ２のうち少なくとも一方に応じて定まる指定地域Ｓ０に含まれている「第１施設」と、当該指定地域Ｓ０から外れている「第２施設」とが判別される（図４／ＳＴＥＰ１２４）。指定地域Ｓ０としては、たとえば図６（ｃ）または図６（ｄ）に斜線で示されているように、ルートＲに沿って延在する、数十〜数百ｍ程度の幅を有する帯状の領域のうち一部（格子箇所参照）が採用される。情報端末１の現在地点Ｐ１および目的地点Ｐ２のうち一方または両方を中心とする、数十〜数百ｍ程度の半径を有する円領域または同程度の辺長を有するに示されているような矩形領域が指定地域Ｓ０として採用されてもよい（図６（ａ）（ｂ）参照）。
【００７２】
なお、第１施設および第２施設の判別がサポートサーバ２（第１サーバ演算処理要素２１）により実行され、当該判別結果がサポートサーバ２から情報端末１に対して送信されてもよい。
【００７３】
ルートＲに沿って延在する領域のうち、情報端末１の現在地点Ｐ１および目的地点Ｐ２の中間部分が指定地域Ｓ０として定義されている場合、情報端末１のユーザが当該ルートＲにしたがって移動する途中で立ち寄り可能な施設が第１施設として判定される。
【００７４】
第２演算処理要素１５２により、出力装置１２においてあらかじめ定められた縮尺のマップが表示され、ルートＲに加えて、第１施設および第２施設のそれぞれの所在を表わす複数のアイコンＭが当該マップに重畳表示される（図４／ＳＴＥＰ１２６）。これにより、たとえば図５（ｂ）に示されているように、出力装置１２において、情報端末１の現在地点Ｐ１、目的地点Ｐ２およびこれらを結ぶルートＲに加えて、第１アイコンＭ１および第２アイコンＭ２がマップに重畳表示される。
【００７５】
あらかじめ定められた縮尺としては、たとえば当該アプリのデフォルトである縮尺が採用されるが、アプリの起動直後にユーザによる縮尺変更があった際には、当該変更後の最新の縮尺が採用されてもよい。
【００７６】
この際、第１施設の所在を表わす「第１アイコン」および第２施設の所在を表わす「第２アイコン」が、視覚的に識別可能な形態で出力装置１２に表示される。色、形状（サイズを含む。）もしくは模様またはこれらの組み合わせにより表わされる静的な意匠のほか、時系列的に色等が変化する動的な意匠が差別化されることにより、第１アイコンおよび第２アイコンが視覚的に識別さうる。図５（ｂ）の例では、単一の第１アイコンＭ１および複数の第２アイコンＭ２はともに略ティアドロップ形状であるものの、第１アイコンＭ１のサイズが第２アイコンＭ２のサイズよりも大きく表示されることにより、第１アイコンＭ１および第２アイコンＭ２が視覚的に識別可能とされている。
【００７７】
第２演算処理要素１５２により、情報端末１の現在地点Ｐ１が第１施設の位置に応じて定まる「第１指定地域Ｓ１」に含まれているか否かが判定される（図４／ＳＴＥＰ１２８）。第１指定地域Ｓ１としては、たとえば図７に示されているように、第１施設を基準として第１指定距離Ｄ１を超えて第２指定距離Ｄ２以下である環状領域が採用される。第１指定距離Ｄ１は、第１指定距離Ｄ１および第２指定距離Ｄ２の偏差Ｄ２−Ｄ１より小さくてもよい（たとえば１／１０以下）。第２指定距離Ｄ２は、交通情報に基づき、情報端末１のユーザが第１施設に到着するまでの予測所要時間が一定時間（たとえば３０分）以下になると予測される距離が採用されてもよい。
【００７８】
情報端末１の現在地点Ｐ１が第１指定地域Ｓ１から外れている場合（図４／ＳＴＥＰ１２８‥ＮＯ）、アプリの動作終了の有無が判定され、アプリの動作が継続する場合には情報端末１の現在地点Ｐ１が第１指定地域Ｓ１に含まれているか否かが引き続き判定される（図４／ＳＴＥＰ１２８）。情報端末１の現在地点Ｐ１が第１指定地域Ｓ１に含まれていると判定された場合（図４／ＳＴＥＰ１２８‥ＹＥＳ）、第２演算処理要素１５２により、第１アイコンＭ１により表わされる第１施設を表わす「第１施設情報」がサポートサーバ２に対して送信される（図４／矢印Ｘ２２）。
【００７９】
第１サーバ演算処理要素２１により、第１施設情報により表わされる施設が特定され（図４／ＳＴＥＰ２２６）、「第１出力情報要求」が当該施設に対して送信される（図４／矢印Ｘ２３）。該当施設はこれに応じて第１出力情報を指定し（図４／ＳＴＥＰ３２２）、この第１指定出力情報をサポートサーバ２に対して送信する（図４／矢印Ｘ２４）。第１サーバ演算処理要素２１により、この第１指定出力情報が情報端末１に対して送信される（図４／矢印Ｘ２５）。
【００８０】
第２演算処理要素１５２により、第１指定出力情報に応じた「第１指定画像Ｗ１」が第１アイコンＭ１に関連付けられて出力装置１２に表示される（図４／ＳＴＥＰ１３０）。第１指定画像Ｗ１は、情報端末１に第１施設に関連する「第１指定演算処理」を実行させるための入力インターフェースを構成する画像である。第１施設におけるサービスまたはイベントの内容を表わすメッセージが第１指定画像Ｗ１に含まれていてもよい。
【００８１】
これにより、たとえば図５（ｃ）に示されているように、第１アイコンＭ１から吹き出している第１指定画像Ｗ１が出力装置１２に表示される。第１指定画像Ｗ１には、第１施設（○○レストラン）の予約要否または将来的な利用予定の有無を問い合わせるメッセージと、これに応じた肯定（はい）および否定（いいえ）を選択するための２つのボタンが含まれている。当該２つのボタンが入力インターフェースを構成する。
【００８２】
第１演算処理要素１５１により、第１指定画像Ｗ１により構成される入力インターフェースを通じた入力の有無が判定される（図４／ＳＴＥＰ１３２）。図５（ｃ）の例では、「はい」ボタンまたは「いいえ」ボタンにおけるタッチパネル１０のタップが当該入力に該当する。当該入力があったと判定された場合（図４／ＳＴＥＰ１３２‥ＹＥＳ）、第１演算処理要素１５１により当該入力の有無または内容に応じた第１指定演算処理が実行される（図４／ＳＴＥＰ１３４）。第１指定演算処理は、第１施設との相互通信を伴う演算処理であってもよく、当該相互通信を伴わない演算処理であってもよい。第１指定演算処理は、先に受信済みの第１指定出力情報に基づく演算処理であってもよい。
【００８３】
たとえば、図５（ｃ）の例で、「はい」が選択された場合、第１施設との直接的なまたはサポートサーバ２を通じた間接的な相互通信を経て、第１施設のサービス予約のための第１指定演算処理が実行される。一方、「いいえ」が選択された場合、情報端末１が第１指定地域Ｓ１に存在した履歴等が情報端末１からサポートサーバ２に対して送信され、当該履歴等がサーバ記憶装置に蓄積的に保存される。
【００８４】
入力インターフェースを構成する第１指定画像Ｗ１（図５（ｃ）参照）の内容は、第１指定演算処理の内容に応じてさまざまに変更されてもよい。たとえば、第１指定演算処理が、第１施設におけるサービスまたはイベントの詳細情報表示を含む場合、当該詳細情報をリクエストするためのボタンが第１指定画像Ｗ１に含まれていてもよい。
【００８５】
一方、当該入力がなかったと判定された場合（図４／ＳＴＥＰ１３２‥ＮＯ）、第１演算処理要素１５１により出力装置１２に第１指定画像Ｗ１が表示されてから入力がないまま第１所定時間が経過したか否かが判定される（図４／ＳＴＥＰ１３８）。第１所定時間が経過していないと判定された場合（図４／ＳＴＥＰ１３８‥ＮＯ）、第１指定画像Ｗ１により構成される入力インターフェースを通じた入力の有無が継続的に判定される（図４／ＳＴＥＰ１３２）。一方、第１所定時間が経過したと判定された場合（図４／ＳＴＥＰ１３８‥ＹＥＳ）、第１指定画像Ｗ１が出力装置１２から消去されまたは非表示とされ（図４／ＳＴＥＰ１４０）、アプリの動作終了の有無が判定され、アプリの動作が継続する場合には情報端末１の現在地点Ｐ１が第２指定地域Ｓ２に含まれているか否かが判定される（図４／ＳＴＥＰ１３６）。
【００８６】
第１指定演算処理の実行後（図４／ＳＳＴＥＰ１３４参照）、第２演算処理要素１５２により、情報端末１の現在地点Ｐ１が第１施設の位置に応じて定まる「第２指定地域Ｓ２」に含まれているか否かが判定される（図４／ＳＴＥＰ１３６）。第２指定地域Ｓ２としては、たとえば図７に示されているように第１施設を基準として第１指定距離Ｄ１以下である円形領域が採用される。情報端末１の現在地点Ｐ１が第２指定地域Ｓ２から外れている場合（図４／ＳＴＥＰ１３６‥ＮＯ）、アプリの動作終了の有無が判定され、アプリの動作が継続する場合には情報端末１の現在地点Ｐ１が第２指定地域Ｓ２に含まれているか否かが引き続き判定される（図４／ＳＴＥＰ１３６）。
【００８７】
情報端末１の現在地点Ｐ１が第２指定地域Ｓ２に含まれていると判定された場合（図４／ＳＴＥＰ１３６‥ＹＥＳ）、第２演算処理要素１５２により、第１アイコンＭ１により表わされる第１施設を表わす「第１施設情報」がサポートサーバ２に対して送信される（図４／矢印Ｘ２６）。
【００８８】
第１サーバ演算処理要素２１により、第１施設情報により表わされる施設が特定され（図４／ＳＴＥＰ２２８）、「第２出力情報要求」が当該施設に対して送信される（図４／矢印Ｘ２７）。該当施設はこれに応じて第２出力情報を指定し（図４／ＳＴＥＰ３２４）、この第２指定出力情報をサポートサーバ２に対して送信する（図４／矢印Ｘ２８）。第１サーバ演算処理要素２１により、この第２指定出力情報が情報端末１に対して送信される（図４／矢印Ｘ２９）。
【００８９】
第２演算処理要素１５２により、第２指定出力情報に応じた「第２指定画像Ｗ２」が第１アイコンＭ１に関連付けられて出力装置１２に表示される（図４／ＳＴＥＰ１４２）。第２指定画像Ｗ２は、情報端末１に第１施設に関連する「第２指定演算処理」を実行させるための入力インターフェースを構成する画像である。第１施設におけるサービスまたはイベントの内容を表わすメッセージが第２指定画像Ｗ２に含まれていてもよい。
【００９０】
これにより、たとえば図５（ｄ）に示されているように、第１アイコンＭ１から吹き出している第２指定画像Ｗ２が出力装置１２に表示される。第２指定画像Ｗ２には、第１施設（○○レストラン）のメニュー要否を問い合わせるメッセージと、これに応じた肯定（はい）および否定（いいえ）を選択するための２つのボタンが含まれている。当該２つのボタンが入力インターフェースを構成する。
【００９１】
第１演算処理要素１５１により、第２指定画像Ｗ２により構成される入力インターフェースを通じた入力の有無が判定される（図４／ＳＴＥＰ１４４）。図５（ｄ）の例では、「はい」ボタンまたは「いいえ」ボタンにおけるタッチパネル１０のタップが当該入力に該当する。当該入力があったと判定された場合（図４／ＳＴＥＰ１４４‥ＹＥＳ）、第１演算処理要素１５１により当該入力の有無または内容に応じた第２指定演算処理が実行される（図４／ＳＴＥＰ１４６）。第２指定演算処理は、第１施設との相互通信を伴う演算処理であってもよく、当該相互通信を伴わない演算処理であってもよい。第２指定演算処理は、先に受信済みの第１指定出力情報または第２指定出力情報に基づく演算処理であってもよい。
【００９２】
たとえば、図５（ｄ）の例で、「はい」が選択された場合、第１施設との直接的なまたはサポートサーバ２を通じた間接的な相互通信を経て、第１施設のメニュー表示、さらには当該メニューの中からユーザによるメニュー選択、さらには必要に応じて当該選択メニューの料理に対する電子マネーによる支払のための第２指定演算処理が実行される。一方、「いいえ」が選択された場合、情報端末１が第２指定地域Ｓ２に存在した履歴等が情報端末１からサポートサーバ２に対して送信され、当該履歴等がサーバ記憶装置に蓄積的に保存される。
【００９３】
入力インターフェースを構成する第２指定画像Ｗ２（図５（ｄ）参照）の内容は、第２指定演算処理の内容に応じてさまざまに変更されてもよい。たとえば、第２指定演算処理がメニューの選択を含む場合、複数のメニューが含まれるプルダウンメニューまたは各メニューの内容を表わす画像および選択ボタンが第２指定画像Ｗ２に含まれていてもよい。第２指定演算処理が電子マネーのチャージおよびその支払を含む場合、金額を入力するための複数の数字ボタン「０」〜「９」に加えて、決済確認のための「はい」ボタンおよび「いいえ」ボタンが第２指定画像Ｗ２に含まれていてもよい。
【００９４】
一方、当該入力がなかったと判定された場合（図４／ＳＴＥＰ１４４‥ＮＯ）、第１演算処理要素１５１により出力装置１２に第２指定画像Ｗ２が表示されてから入力がないまま第２所定時間が経過したか否かが判定される（図４／ＳＴＥＰ１４８）。第２所定時間が経過していないと判定された場合（図４／ＳＴＥＰ１４８‥ＮＯ）、第２指定画像Ｗ２により構成される入力インターフェースを通じた入力の有無が継続的に判定される（図４／ＳＴＥＰ１４４）。一方、第２所定時間が経過したと判定された場合（図４／ＳＴＥＰ１４８‥ＹＥＳ）、第２指定画像Ｗ２が出力装置１２から消去されまたは非表示とされ（図４／ＳＴＥＰ１５０）、アプリの動作終了の有無が判定され、アプリの動作が継続する場合には目的地点設定の有無判定（図４／ＳＴＥＰ１２２）以降の処理が繰り返される。
【００９５】
（作用効果（第２実施形態））
本発明の第２実施形態としての情報処理システムによれば、出力装置１２において第１アイコンＭ１および第２アイコンＭ２が相互に識別可能な形態でマップに重畳表示される（図５（ｂ）参照）。入力装置１１を通じて第１アイコンＭ１が選択されたことを要件として、出力装置１２において当該第１アイコンＭ１に関連付けられて第１指定画像Ｗ１および第２指定画像Ｗ２が表示される（図５（ｃ）（ｄ）参照）。そして、第１指定画像Ｗ１および第２指定画像Ｗ２のそれぞれにより構成される入力インターフェースを通じたユーザによる情報端末１への入力により第１施設に関する第１指定演算処理および第２指定演算処理のそれぞれが実行される（図４／ＳＴＥＰ１３４およびＳＴＥＰ１４６参照）。
【００９６】
第１アイコンＭ１は、情報端末１の現在地点Ｐ１に鑑みて、情報端末１のユーザにとって有用性が高い施設（第１施設）を表わしている蓋然性が高い。マップの縮尺はあらかじめ定められており、そこに重畳表示される複数のアイコンの多少とは無関係に制御される。ユーザにより最後に設定された縮尺が「あらかじめ定められた縮尺」として採用されることにより、ユーザにマップの縮尺を元に戻すための入力操作を強要せずに済む。
【００９７】
したがって、マップにおける情報の視認性を維持しながら、当該マップに重畳表示されるアイコンの多少にかかわらず、現在位置Ｐ１に鑑みてユーザにとって有用性の高い施設の所在を表わす第１アイコンＭ１の視認性の向上、さらには第１施設に関する指定演算処理を情報端末１に実行させるための入力の利便性向上利便性の向上が図られうる。第１アイコンＭ１および第２アイコンＭ２の識別容易のためにマップの縮尺変更のための入力操作の必要性はない（またはほとんどない）。
【００９８】
（本発明の他の実施形態）
第１または第２実施形態において、複数の第１施設のそれぞれの所在を表わす複数（たとえば２〜１０など）の第１アイコンＭ１が表示されてもよい。
【００９９】
第１実施形態において、サポートサーバ２の少なくとも一部の機能の利用が省略されてもよい。第１演算処理要素１５１により記憶装置に格納されている複数の施設の中から該当施設が検索されてもよい（図２／ＳＴＥＰ２０２参照）。出力情報要求が情報端末１から（サポートサーバ２を介さずに）直接的に第１施設に対して送信されてもよい（図２／矢印Ｘ１４）。指定出力情報が情報端末１の記憶装置に保存されている場合、当該指定出力情報の取得のための通信が省略されてもよい（図２／矢印Ｘ１３〜Ｘ１６参照）。
【０１００】
第２実施形態において、サポートサーバ２の少なくとも一部の機能の利用が省略されてもよい。第１演算処理要素１５１により記憶装置に格納されている複数の施設の中から該当施設が検索されてもよい（図４／ＳＴＥＰ２２２参照）。第２演算処理要素１５２により現在地点Ｐ１および目的地点Ｐ２を結ぶルートＲが、記憶装置に記憶されているマップに基づいて検索されてもよい（図４／ＳＴＥＰ２２４および図５（ｂ）参照）。第１出力情報要求および第２出力情報要求のうち一方または両方が情報端末１から（サポートサーバ２を介さずに）直接的に第１施設に対して送信されてもよい（図４／矢印Ｘ２３およびＸ２７参照）。第１指定出力情報が情報端末１の記憶装置に保存されている場合、当該第１指定出力情報の取得のための通信が省略されてもよい（図４／矢印Ｘ２２〜Ｘ２５参照）。第２指定出力情報が情報端末１の記憶装置に保存されている場合、当該第２指定出力情報の取得のための通信が省略されてもよい（図４／矢印Ｘ２６〜Ｘ２９参照）。
【０１０１】
第１実施形態において、第１アイコンＭ１が選択されたことおよび現在地点Ｐ１が指定地域Ｓ０に含まれることの両方が指定画像Ｗの表示要件とされているが（図２／ＳＴＥＰ１０８および１１０ならびに図３（ｂ）参照）、現在地点Ｐ１が指定地域Ｓ０に含まれることのみが指定画像Ｗの表示要件とされていてもよい。
【０１０２】
第２実施形態において、現在地点Ｐ１が第１指定地域Ｓ１に含まれることが第１指定画像Ｗ１の表示要件とされているが（図４／ＳＴＥＰ１２８および図５（ｃ）参照）、付加的または代替的に第１アイコンＭ１が選択されたことが第１指定画像Ｗ１の表示要件とされていてもよい。現在地点Ｐ１が第２指定地域Ｓ２に含まれることが第２指定画像Ｗ２の表示要件とされているが（図４／ＳＴＥＰ１３６および図５（ｄ）参照）、付加的または代替的に第１アイコンＭ１が選択されたことが第２指定画像Ｗ２の表示要件とされていてもよい。
【０１０３】
出力装置１２に表示されている複数の第２アイコンＭ２の中から選択された第２アイコンＭ２により表わされる第２施設に関しても、第１施設に関するのと同様の指定演算処理、第１演算処理および第２演算処理が実行されてもよい。
【符号の説明】
【０１０４】
１‥情報端末、２‥サポートサーバ、１１‥入力装置、１２‥出力装置１２５‥制御装置、１５１‥第１演算処理要素、１５２‥第２演算処理要素。
【図１】
0006333119.tif 000002
【図２】
0006333119.tif 000003
【図３】
0006333119.tif 000004
【図４】
0006333119.tif 000005
【図５】
0006333119.tif 000006
【図６】
0006333119.tif 000007
【図７】
0006333119.tif 000008